Podtech/llm-jp-corpus-v4-ja_patent huggingface dataset:
(57)【要約】【目的】この発明は本装置の処理箱１を二つの部屋に使用出来るように発明したもので小物入に棚２を作り、その床下に潜る可動板３の裏面にコマ５を取付けてレール６と嵌め合せて汚物入容器４を取付けた可動板３を水平に操作出来るようにしたものである。【構造】本体の構成は小物入と汚物入の出来る処理箱１を備いているので市販にはあまり見受けない進歩の装置である。【選択図】    図１
2004329853.tif 000002
【特許請求の範囲】
【請求項１】
この発明は一般家庭の流台に側付して用いる処理箱１で小物用に棚２を作り、その床下に潜る可動板３に汚物入容器４を取付けて裏面にコマ５を取付けレール６と嵌合せて水平に操作出来るようにした装置の構造。
【発明の詳細な説明】
【０００１】
【産業上の利用分野】
この発明の処理箱１は内部を二つ部屋に使用出来るように発明したもので小物用に棚２を作りその床下に汚物入容器４を取付けた可動板３を潜らせ裏面にコマ５を取付たそのコマ５とレールを溝に嵌めて水平に稼働するようにした構造。
【０００２】
【従来の技術】
従来からよく見かげる新聞雑記の見本やカタログ等のボックスは前倒しにして中味も斜めにしているものが大半のようである。
従って容器の中味も斜めで六〜七割程度に用いているものが多い。
そこでこの発明は水平に稼働するようにしたものである。
また中に用いるビニール袋の押込み防止に強力フックを張り付けて防止するようにしてある。
【０００３】
【発明が解決しようとする課題】
したがって処理箱１の講造を説明すれば上部にステンレス７を張り内部は小物入れ用に棚２を作りその床下に潜る可動板３の裏面にコマ５を取付けてある。潜らない所に汚物入容器４を着脱自由になるように掛金具８を設けてある。
また処理箱１の床板に二本のレール６を布設したそのレール６に上記のコマ５の溝を嵌めて可動板３を稼働させるものである。従って容器４を水平に操作されるようにした構造である。
【０００４】
【課題を解決するための手段】
いまその構造を説明すると汚物入容器４の回りを汚すことなく蓋を嵌めて水平に引き出されるので操作中の汚れは支障なく出来る、また汚物入容器４には中袋にビニール袋などを用いているが本考案は押込み防止する強力フックを用いているので効果大である。
【０００５】
【作用】
次に本発明の作用を述べると、可動板３に取付けた汚物入容器４に汚物入れても水平に出し入れの出来るようにした装置である。
【０００６】
【実施例】
なお可動板３に汚物入容器４を取付けてあるがこの外にも色々と使用できる便利な用い方もあるので効果大である
【０００７】
【発明の効果】
だから汚物入容器４から周辺汚すことなくしかも水平に出し入れの出来る装置で安全なものを進めることのできる効果がある。
【図面の簡単な説明】
【図１】本発明の処理箱の斜視図
【図２】本発明の処理箱を流台に取付けた斜視図
【図３】本発明の処理箱の内部構造図
【符号の説明】
１は  処理箱
２は  小物用の棚
３は  可動板
４は  汚物入容器
５は  コマ
６は  レール
７は  ステンレス
８は  掛金具
【図１】
2004329853.tif 000003
【図２】
2004329853.tif 000004
【図３】
2004329853.tif 000005
(57)【要約】【課題】車椅子に乗ったまま簡単に車椅子の車輪清掃が出来る清掃具を提供する。【解決の手段】側板▲１▼及び側板▲２▼に丸棒（３）と自転車用前ハブ（４）、ブラシ（５）を取りつけ、自転車用前ハブは軽く回転し、ブラシ（５）で車輪を清掃する構造を特徴とする。【選択図】        図１
2004329842.tif 000002
【特許請求の範囲】
【請求項１】
側板▲１▼と側板▲２▼に穴及び座ぐり穴と切り溝を設け、丸棒（３）は座ぐり穴に、自転車用前輪ハブ（４）は軽く回転するように調整して側板▲１▼と側板▲２▼の穴に嵌め込み固定する。側板▲１▼と側板▲２▼の切り溝部には、ブラシ（５）を嵌め込んだ車椅子車輪清掃具。
【発明の詳細な説明】
【０００１】
【発明の属する技術分野】
この発明は車椅子の車輪清掃具に関するものである。
【０００２】
【従来の技術】
従来施設設置用など全自動で大掛かり且つ高価な物が有った。
【０００３】
【発明が解決しようとする課題】
従来の物は大掛かりなものばかりで、価格も高く、一般家庭で簡単に使用出来、しかも軽量コンパクトで持ち運びも出来る物は無かった。
本発明は、これらの欠点を除く為になされた物である。
【０００４】
【課題を解決するための手段】
側板▲１▼と側板▲２▼に穴及び座ぐり穴と切り溝を設け、丸棒（３）は座ぐり穴に、自転車用前輪ハブ（４）は軽く回転するように調整して側板▲１▼と側板▲２▼の穴に嵌め込み固定する。側板▲１▼と側板▲２▼の切り溝部には、ブラシ（５）を嵌め込む。
本発明は以上のような構造よりなる車椅子車輪清掃具である。
【０００５】
【発明の実施の形態】
本発明の構造は、両側板に丸棒と自転車用前輪ハブを軽く回転する様に調整した物を二個取りつけ、その中央部にブラシを取り付けた物である。
使用方法は二個セットで使用する。先ず車椅子の後部から車椅子の車輪のほぼ中央部に丸棒部分を押し当てセットする。次に車椅子のハンドリムを両手でつかみ後部にバックさせる要領で本装置の上に乗せる。
本装置の上では、回転するローラ上に車椅子の車輪が乗っているため軽く回転させる事が出来、本装置にセットしているブラシで車輪の清掃が楽に行える。
また本装置の上では、車椅子の車輪が軽く回転し移動しないため車輪を回転させる動作を繰り返す事による腕のリハビリにも使用出来る。
【０００６】
【発明の効果】
車椅子を移動させることなく、その場（一箇所）で車輪を回転させる事により、車輪の清掃が容易になった。またコンパクトで且つ軽量で有るため持ち運びも出来、外出先でも使用出来る。
【図面の簡単な説明】
【図１】本発明の斜視図である。
【符号の説明】
（１）側板▲１▼      （２）側板▲２▼      （３）丸棒      （４）自転車用前ハブ（５）ブラシ
【図１】
2004329842.tif 000003
(57)【要約】【課題】本発明は、就寝中、肩や首筋を保温するのに敷布団と掛け寝具の間に隙間が生じてしまう問題を解決するためになされたものである。【解決手段】左右対称の肩当て（１）、（１）の間に枕の下敷き部（２）を設けたことを特徴とする。肩当て（１）、（１）の間に設けられた枕の下敷き部（２）が枕と頭部の重さによって適当に固定できるので、従来の寝具に連結させる必要がなく、肩と首筋を保温するための独立した寝具として、どんな寝具にでも対応し、使用できるようにした。【選択図】    図１
2004329841.tif 000002
【特許請求の範囲】
【請求項１】
枕の下敷き部を間に設け、左右対称の保温性を有する肩当てからなる、肩当て専用寝具。
【発明の詳細な説明】
【０００１】
【発明の属する技術分野】
この発明は主に就寝時の肩や首筋の保温性に特化した肩当て専用寝具に関するものである。
【０００２】
【従来の技術】
（１）    従来より寝具は敷き布団と掛け布団、また掛け布団の下に掛ける毛布や肌布団、タオルケット等の軽寝具で構成されるのが一般的であった。その各々の分野での保温性、快適性においての改善はなされているものの、肩口、首筋等の隙間の保温性に関しては、その改善がほとんどなされなかった。
（２）    肩口や首筋を保温するものとして、古来より丹前やかいまき等の掛け物を用いることがあった。
（３）    さらに近年、この点に関しての考案、発明はかなり出願されているが、いずれも本格的な製品化には至らなかった。
【０００３】
【発明が解決しようとする課題】
これは次のような欠点があった。
（イ）    就寝中、肩や首筋を保温するのにどうしても敷布団と掛け寝具の間に隙間が生じてしまう。
（ロ）    近年は毛布や肌布団が一般的になり、また寝室も洋風化され、ベッドを用いる例も多くなったため、日本古来の伝統的な丹前、かいまき等は、ほとんど用いられなくなった。
（ハ）    このことに関する多くの発明考案がなされているが、何れも他の掛けふとんや掛けふとんカバー、衿カバー、毛布、敷毛布、枕等と連結させるものであったり、従来の寝具の形状や形態を大きく改善しなければならないものであるがため、消費者においては従来の寝具を買い換えなければならず、生産者または販売者においては、その商品化に向けての製造上や販売上の問題が多く、一般的な商品として市場に出回るのは稀であった。
本発明は、これらの欠点を解決するために発明されたものである。
【０００４】
【課題を解決するための手段】
枕の下敷き部（２）を間に設けた、左右対称の保温性を有する肩当て（１）、（１）から構成する。
本発明は、以上のような構成よりなる、肩当て専用寝具である。
【０００５】
【発明の実施の形態】
以下、本発明の実施の形態を説明する。
枕の下敷き部（２）を間に設け、左右対称の保温性を有する肩当て（１）、（１）からなる、逆Ｕ字状の肩当て専用寝具である。
本発明は以上のような構造で、これを使用するときは、
枕の下敷き部（２）を保温性を有する肩当て（１）、（１）が肩口に掛かる方向に、敷ふとんの上の枕の位置に敷き置き、枕を枕の下敷き部（２）の上に置き
【図２】、保温性を有する肩当て（１）、（１）の、枕の下敷き部（２）により
固定されていない部分を上に捲る
【図３】。以上のように準備された本発明を装着した布団の中に入り、枕の上に頭部をおき、保温性を有する肩当て（１）、（
１）を肩口から胸の上へ掛け、その上に掛け布団をかける
【図４】。
以上は本発明の基本的な使用形態であるが、好みに応じ掛け布団を掛けたその上に保温性を有する肩当て（１）、（１）を掛けることもできる。また使用中暑苦しいときは、保温性を有する肩当て（１）、（１）の枕の下敷き部（２）により固定されていない部分を適当分、上または下に折り曲げたままでも、また肩の下に敷いても使用することができる。
また、たとえば寝静まった家族に、本発明の上下を逆にして、胸部から頭部の方へ向けて、上からそっと掛けることもできる。その他、室温の状況や好みに応じ、自由にその使用形態を変える事ができる。
【０００６】
【発明の効果】
以下、本発明の効果について述べる。
（イ）    本発明は、枕の下に枕の下敷き部（２）を敷くことにより、枕と頭の重さにより固定できるので就寝中寝返りなどで保温性を有する肩当て（１）、（１）が肩から外れたとしても、枕の両側から、相当程度肩口を覆うことができる。
（ロ）    他の寝具と一体化、あるいは連結されたものではないため、暑苦しい時など、自由に取り外しができ、また就寝中でも無意識に上に折り曲げたり、手繰り寄せたりできる。また肩の下に敷くこともできる。
（ハ）    肩と首筋を保温するための、独立した専用寝具であるため、従来の寝具の使用形態を変えることなく、どんな寝具にでも対応して使用できる。
（ニ）    寝静まった家族に、本発明の上下を逆にして、胸部から頭部へ向けて、そっと掛けてやることもできる。
（ホ）    肩当ての充填材を羽毛にすることにより、保温性が高まることはもち
ろんであるが、本発明使用時
【図４】には、羽毛の特徴でもある袋の中の移動性により、就寝時の胸の上の極端な嵩張りがなくなり、他の隙間に自然に移動し、さらに保温力を高めることができる。
（ヘ）    冬場だけでなく、真夏においても夫婦の寝室等で、たとえば夫はエアコンを使用し、冷え性の妻はエアコンを嫌うと言う場合、冷え性の妻は本発明を使用することにより、エアコンからの害を避けることができる。
【図面の簡単な説明】
【図１】本発明の全体図
【図２】本発明を枕の下に敷きおいた状態の平面図
【図３】本発明を枕の下敷き部（２）により固定されていない部分を上に捲った状態の平面図
【図４】本発明の使用状態を示す図
【符号の説明】
１  肩当て
２  枕の下敷き部
３  枕
４  敷布団
５  掛け布団
６  人の頭部
７  人体部
【図１】
2004329841.tif 000003
【図２】
2004329841.tif 000004
【図３】
2004329841.tif 000005
【図４】
2004329841.tif 000006
(57)【要約】【課題】センサ及び電気基板をベッドのフレームの所望の箇所に装着し、邪魔なハーネスやコントロールボックスを外見上無くしたベッドを提供する。【解決手段】ベッド上に滞在する被験者の生体情報を検出するセンサと、該センサと接続され、該センサからの信号を処理する電気回路が配設される電気回路基板とが少なくとも具備されるベッドにおいて、前記センサ、前記電気回路基板、及びそれらの間を接続するハーネスを、フレームの所望の箇所に収納する。前記センサの一つは、前記フレームの歪みを検出する歪みゲージであり、該歪みゲージは、前記フレームに開口した開口部から前記フレームの内側面又は外側面に装着されると共に、前記歪みゲージと接続される電気回路基板は、前記開口部を閉塞する蓋部又はフレーム内に装着される。【選択図】      図１
2004329714.tif 000002
【特許請求の範囲】
【請求項１】
ベッド上に滞在する被験者の生体情報を検出するセンサと、該センサと接続され、該センサからの信号を処理する電気回路が配設される電気回路基板とが少なくとも具備されるベッドにおいて、
前記センサ、前記電気回路基板、及びそれらの間を接続するハーネスを、フレームの所望の箇所に収納したことを特徴とするベッド。
【請求項２】
前記センサの一つは、前記フレームの歪みを検出する歪みゲージであり、該歪みゲージは、前記フレームに開口した開口部から前記フレームの内側面に装着されることを特徴とする請求項１記載のベッド。
【請求項３】
前記センサの一つは、前記フレームの歪みを検出する歪みゲージであり、該歪みゲージは、前記フレームに開口した開口部から前記フレームの外側面に装着されることを特徴とする請求項１記載のベッド。
【請求項４】
前記歪みゲージと接続される電気回路基板は、前記開口部を閉塞する蓋部に装着されることを特徴とする請求項２又は３記載のベッド。
【請求項５】
前記歪みゲージと接続される電気回路基板は、前記フレームの内側に装着されることを特徴とする請求項２又は３記載のベッド。
【発明の詳細な説明】
【０００１】
【発明が属する技術分野】
この発明は、被験者の生体情報を検出するセンサ類及び電気回路基板を有するベッドに関する。
【０００２】
【従来の技術】
特許文献１は、ベッドとマットレスの間に配置され、ベッドの占有者を監視するセンサユニットを有し、センサユニットがベッドのフレームに配置されているベッドのセンサ装置及びそれを用いたベッドを開示する。
【０００３】
また、特許文献２は、その図１４及び図１６で示すように、病院等の寝具の各脚部の下に配され、その信号がコントロールユニットに配線を介して接続される在床検出装置を開示する。
【０００４】
【特許文献１】
特開２００１−３７８２１号公報
【特許文献２】
特開平１１−２２３５４６号公報
【０００５】
【発明が解決しようとする課題】
しかしながら、上述した特許文献に開示されるベッドでは、センサが外付けされることから、センサと電気回路基板が収納されたコントロールボックスとの間を接続するハーネスが剥き出しとなり、大変見苦しいと共に、ベッドの占有者（被験者）がベッドから起き上がる場合やベッド近辺を歩行する場合に、ハーネスやコントロールボックスが邪魔になるという不具合が生じる。
【０００６】
このため、この発明は、センサ及び電気基板をベッドのフレームの所望の箇所に装着し、邪魔なハーネスやコントロールボックスを外見上無くしたベッドを提供することにある。
【０００７】
【課題を解決するための手段】
したがって、この発明は、ベッド上に滞在する被験者の生体情報を検出するセンサと、該センサと接続され、該センサからの信号を処理する電気回路が配設される電気回路基板とが少なくとも具備されるベッドにおいて、前記センサ、前記電気回路基板、及びそれらの間を接続するハーネスを、フレームの所望の箇所に収納したことにある。
【０００８】
また、前記センサの一つは、前記フレームの歪みを検出する歪みゲージであり、該歪みゲージは、前記フレームに開口した開口部から前記フレームの内側面又は外側面に装着されると共に、前記歪みゲージと接続される電気回路基板は、前記開口部を閉塞する蓋部又はフレーム内に装着されることが望ましい。
【０００９】
【発明の実施の形態】
以下、この発明の実施の形態について図面により説明する。
【００１０】
図１及び図２で示されるベッド１には、たとえば、図４で示すようなベッド上に滞在する被介護者や病人等の体重、呼吸数、脈拍数、寝返り等の生体信号を検出するためのセンサ２、このセンサ２を稼働させるための電気基板３、この電気基板３からの信号を受信して、表示機器、連絡機器、介護センター等の所望の場所に送信する中央演算処理ユニットが配線されたメイン基板４、及びそれぞれを接続するハーネス５が設けられる。前記センサ２としては、前記ベッド１の脚部１ａの底部に装着され、前記ベッド１のそれぞれの脚部１ａにかかる荷重を検出する荷重センサ２ａや、前記ベッドフレーム１ｂの歪みを検出する歪みセンサ２ｂがあり、またそれぞれにセンサ２ａ，２ｂに対応して電気基板３ａ，３ｂが設けられる。
【００１１】
そして、すべてのハーネス５、電気基板３（３ａ，３ｂ）及びメイン基板４は、前記ベッドフレーム１ｂ内に収納され、外部から目視できないようになっている。
【００１２】
例えば、前記歪みセンサ２ｂは、ベッドフレーム１ｂの所定の位置に形成された開口部１０から、前記ベッドフレーム１ｂの内周側面に貼付固定され、これに接続される電気基板３ｂは、前記開口部１０を閉塞する蓋部２０に取り付けられる。これによって、歪みセンサ２ｂをベッドフレーム１ｂ内に取り付けることができ、さらに電気基板３ｂをベッドフレーム１ｂ内に収納でき、さらにはハーネス５もベッドフレーム内に収容できるので、前記ベッド１を通常のベッドと同様の外見とすることができるものである。
【００１３】
【発明の効果】
以上説明したように、この発明によれば、すべての電気基板、ハーネス及びセンサをベッド内に収納することができるため、配線がベッド外部にでることがないので、配線につまづくこともなく、また見かけ上も普通のベッドと変わりないので、病人や被介護者等のベッド周辺での安全性を向上することができると共に、精神的不快感を低減することができるものである。
【図面の簡単な説明】
【図１】本願発明の実施の形態に係るベッドの概略平面図である。
【図２】本願発明の実施の形態に係るベッドの概略側面図である。
【図３】センサの取り付け状態を示した説明図である。
【図４】電気回路図の概略構成図である。
【符号の説明】
１  ベッド
１ａ  脚部
１ｂ  ベッドフレーム
２（２ａ，２ｂ）  センサ
３（３ａ，３ｂ）  電気基板
４  メイン基板
５  ハーネス
１０  開口部
２０  蓋部
【図１】
2004329714.tif 000003
【図２】
2004329714.tif 000004
【図３】
2004329714.tif 000005
【図４】
2004329714.tif 000006
(57)【要約】【課題】本発明は、脱血チューブと、リザーバーと、圧力調整手段と、減圧手段とを有する脱血装置において、脱血装置の系内圧力の制御が不良となり、系内が高陰圧になったときに、電気的な解放手段を用いずに解放する方法と、さらに解放したことを電気的な手段を用いずに報知する方法とを有する弁の提供を目的とした。【解決手段】本発明は、脱血チューブと、リザーバーと、圧力調整手段と、減圧手段とを有する脱血装置において、解放弁を有することを特徴とする脱血装置を提供すること。本発明の脱血装置の好ましい形態としては、１：解放弁が、物理的な報知機能を有する解放弁であること。２：解放弁が、解放時に音を出す機能を有する解放弁であること。【選択図】          図１
2004329727.tif 000002
【特許請求の範囲】
【請求項１】
脱血チューブと、リザーバーと、圧力調整手段と、減圧手段とを有する脱血装置において、
解放弁を有することを特徴とする脱血装置。
【請求項２】
解放弁が、物理的な報知機能を有する解放弁であることを特徴とする請求項１に記載の脱血装置。
【請求項３】
解放弁が、解放時に流入する空気を利用して音を出す機能を有する解放弁であることを特徴とする請求項１に記載の脱血装置。
【発明の詳細な説明】
【０００１】
【発明の属する技術分野】
本発明は、手術野などで、人体などから出血した血液を吸引する低陰圧の脱血装置で、圧力解放時に音など物理的な報知機能を持った解放弁を設けた脱血装置に関するものである。
【０００２】
【従来の技術】
手術野に出血した血液は、低陰圧に調整した脱血装置を用いて脱血している。非特許文献１には、人工心肺の補助手段を目的とした低陰圧制御装置が開示されている。
【０００３】
【非特許文献１】人工臓器２８（２）、５１７−５２２（１９９９）
【０００４】
【発明が解決しようとする課題】
手術などを行う場合には、手術野に出血した血液を脱血する必要があり、低陰圧に調整された脱血装置を用いて行われている。脱血装置は、調整された圧力の制御が困難となり、系内が高陰圧になると手術や治療などに支障がきたす場合があり、手術者、手術補助者などに知らせる必要があった。
【０００５】
本発明は、脱血チューブと、リザーバーと、圧力調整手段と、減圧手段とを有する脱血装置において、脱血装置の系内圧力の制御が不良となり、系内が高陰圧になったときに、電気的な解放手段を用いずに解放する方法と、さらに解放したことを電気的な手段を用いずに報知する方法とを有する弁の提供を目的とした。
【０００６】
【課題を解決するための手段】
本発明は、脱血チューブと、リザーバーと、圧力調整手段と、減圧手段とを有する脱血装置において、解放弁を有することを特徴とする−１５〜−１００ｍｍＨｇの低陰圧の脱血装置である。
脱血装置を提供することができる。
本発明の脱血装置の好ましい形態としては、
１：解放弁が、物理的な報知機能を有する解放弁であること。
２：解放弁が、解放時に音を出す機能を有する解放弁であること。
３：解放弁が、解放時に流入する空気を利用して音を出す機能を有する解放弁であること。
【０００７】
物理的な報知機能とは、手術者又は手術補助者などに、系内の圧力調整が不良になり、系内の圧力が高陰圧になった時に、電気的な方法を用いず、弁が解放したことを音などで知らせる機能である。音を鳴らす又は音を出す方法としては、弁が解放時に系内に流入する空気を利用して音がなるものや音が出るものであればどの様な物や方法でも用いることが出来、例えば、笛などの空気の流入により音が出るもの、ベルなどの空気の流入により物を叩くものなどを挙げることが出来る。
【０００８】
【発明の実施の形態】
以下に、本発明の一実施の形態を詳しく説明する。本発明は、これらの実施の形態のみに限定されるものではない。
【０００９】
本発明に係る脱血装置１の実施の形態について、図１を参照して説明する。脱血装置１は、リザーバー２、脱血チューブ３、減圧手段４、圧力調整手段５、及び圧力表示器６と、物理的な報知機能を有する解放弁７とを有する。回路１１及び回路１２は、各構成を接続するためのチューブである。
【００１０】
減圧手段は、系内を減圧するものであればよく、例えば、真空ポンプ、サクションポンプなどを用いることができる。
圧力調整手段は、公知の低陰圧を制御するものを用いることが出来、例えばダイアフラム式の圧力調整器などを用いることが出来る。
解放弁としては、系内が圧力設定した圧力より高陰圧になると解放系になるもので有れば良く、電気を用いず弁が作動するものが好ましく、例えばバネ式、弁式などを用いることが出来る。物理的な報知機能は、弁が解放される時に、電気的な手段を用いず系内に流入する空気を利用して音などを出して警報又は報知する機能である。
解放弁７は、系内の調整圧力より少し高陰圧に設定し、設定した圧力より系内陰圧が高くなると、弁が解放され、設定圧力になるまで、系内に空気が流入する。
【００１１】
解放弁の実施の形態について、一例を図１を参照して説明する。図１には、解放弁２１を示す。解放弁２１は、ケーシング２２と、圧力設定つまみ２３と、ボール２４と、バネ２５と、物理的な報知器２６とを有する。物理的な報知機能２６は、空気の流通時に音を出すものであれば良く、例えば空気流通時に音の出る笛、ベルなどを挙げることが出来る。
解放弁２１について、圧力設定つまみ２３を用いて、系内の調整陰圧より少し高めの高陰圧に設定する。系内の圧力の調整が異常になり、系内の圧力が設定の高陰圧よりさらに陰圧になると、ボール２４が系内側に引寄せられ、圧力設定つまみとボールの間に隙間が生じて、系内に空気が流入する。また系内の圧力が設定陰圧より低くなると、ボールがバネで押し戻され、空気の流入が遮断される。系内に空気が流入する時に、物理的な報知器２６が音を出し、手術者や手術補助者に系内の陰圧調整不良などを知らせる。
【００１２】
本発明の脱血装置は、人工心肺などの体外循環回路に用いることが出来る。
【００１３】
【発明の効果】
本発明の解放弁は、電気回路を用いないため、停電時などでも問題なく作動できる。
本発明の解放弁は、系内に流入する空気を利用して音を出す物理的な報知器を有するため、停電時などでも問題なく作動できる。
【図面の簡単な説明】
【図１】本発明に係る脱液装置の一態様の構成を示す模式図である。
【図２】解放弁に係る一態様の構成を示す模式図である。
【符号の説明】
１：脱液装置、２：リザーバー、３：脱液チューブ、４：減圧手段、５：圧力調整手段、６：圧力表示器、７，２１：解放弁、１１，１２：チューブ、２２：ケーシング、２３：圧力設定つまみ、２４：ボール、２５：バネ、２６：物理的報知器。
【図１】
2004329727.tif 000003
【図２】
2004329727.tif 000004
(57)【要約】【課題】視力障害者，重度障害者、幼児、高齢者等目が見えなかつたり、腕力が弱い者が輪投げゲームをした場合、命中率を高くする。【解決手段】任意形状の枠体１の内側に、複数の標的リング２を配設する。【選択図】  図１
2004329799.tif 000002
【特許請求の範囲】
【請求項１】
任意形状の枠体（１）の内側に、複数の標的リング（２）を配設した輪投げ遊具。
【請求項２】
枠体（１）がテープ（４）であることを特徴とする請求項１記載の輪投げ遊具。
【請求項３】
枠体（１）の外側に、傾斜板（５）を設けたことを特徴とする請求項１、２記載の輪投げ遊具。
【発明の詳細な説明】
【０００１】
【発明の属する技術分野】
本発明は、視力障害者や重度障害者、幼児、高齢者等が輪投げゲームをした場合、命中率を向上させることができるようにした輪投げ遊具に関するものである。
【０００２】
【従来の技術】
これまでは、例えば図５に示すような輪投げが市販され広く使用されてきた。すなわち、台座に立設した支柱にめがけてリングを投げ、リングが支柱に入った場合、命中としていた。
【０００３】
【発明が解決しようとする課題】
図５に示した輪投げには、次のような欠点があつた。支柱にリングを命中させるためには、リングが支柱の上部から落下するように、加減して投げることが必要である。しかし、視力障害者が支柱の正確な位置を知ることは困難であり、また、重度障害者や、幼児、高齢者など腕力の弱い者にとつて、加減して投げることは、難しいことであつた。
【０００４】
本発明は、目が見えない視力障害者や、腕力の弱い重度障害者、幼児、高齢者でも命中する確率が高くなる輪投げ遊具を得ることを目的としている。
【０００５】
【課題を解決するための手段】
上記目的を達成するために、本発明の輪投げ遊具においては、任意形状の枠体の内側に、複数の標的リングを配設したものである。枠体は、配設した標的リングが動いて飛散しないようにするためのものであり、投げた投擲リングが枠体の内側に当たり反射するための反射板の役割もする。枠体の形状は、配設した標的リングの数によつて三角形状、四角形状、としてもよい。また、配設する標的リングの内径の大きさは、投げる投擲リングが容易に入る大きさにするとよい。
【０００６】
つぎに、請求項２のものは、枠体がテープとしたものである。テープは両端部を縫着するか、両端部にマジツクテープ凸凹を縫着して着脱自在にし、テープが任意形状の枠状になるようにするとよい。テープは天然繊維、化学繊維で作るとよい。
【０００７】
請求項３のものは、枠体の外側に傾斜板を設けたものである。傾斜板は、投擲リングが床面を滑動して枠体を越えて標的リングの上に落下するときに必要なもので、枠体側を高くし、傾斜板の下方部は、床面との段差が無いように設けるとよい。
【０００８】
【作用】
本発明に係わる輪投げ遊具は、次のように使用する。枠体の内側に配設している複数の標的リングめがけて投擲リングを投げると、配設している標的リングの内側は、角がなく丸くなつているので、標的リングに接近した投擲リングが標的リングに入る確率は高くなる。また、枠体の内壁に当たり、反射して入る確率も高くなる。投擲した投擲リングが配設した標的リングに入らなかつた場合は、隣接する標的リングと標的リングの上に跨る状態になるが、次々と投擲する投擲リングに弾かれて、標的リングに入る可能性が出てくる。
【０００９】
傾斜板を使用する場合、投擲リングは床面を滑動するように投擲する。傾斜板を通つて配設した標的リング上辺に落下する。
【００１０】
【発明の実施の形態】
発明の実施の形態を実施例にもとづき図面を参照して説明する。
図１は、実施例１を示す斜視図である。１は、三角形状の枠体を示し、枠体１は、三辺を長方形状の側枠６で構成し、枠体１は、標的リング２を固定し、投擲した投擲リング３が遠方への飛散を防止する保護枠としての役割と、投擲リング３が反射するための反射板の役割としている。そして、枠体１の内側には、収まるように６箇の標的リング２を配設している。標的リング２は、断面形状は円形で内径は投擲リング３が余裕をもつて入る大きさとしている。
【００１１】
実施例２を図２にもとづき説明する。
実施例２のものにおいては、枠体１がテープ４で構成したものである。テープ４は両端部を縫着し、配設した各標的リング２の外側に沿つて形成し、角部が丸みを帯びた三角形様の形状を示している。
【００１２】
実施例３を図３にもとづき説明する。
実施例３のものにおいては、枠体１の一つの側枠６の上面に傾斜板５を取り付けている。傾斜板５の下方部は、床面と段差がないように接地している。
【００１３】
【発明の効果】
投擲リングを枠体の中に投擲、または、滑動させて入れることができれば、標的リングに入る確率が高くなるので、視力障害者や、重度障害者、幼児、高齢者であつても、命中率を向上させることができるようになつた。
【図面の簡単な説明】
【図１】実施例１の斜視図である。
【図２】実施例２の斜視図である。
【図３】実施例３の側面図である。
【図４】投擲リングの平面図である。
【図５】従来の輪投げを示す斜視図である。
【符号の説明】
１  枠体
２  標的リング
３  投擲リング
４  テープ
５  傾斜板
６  側枠
【図１】
2004329799.tif 000003
【図２】
2004329799.tif 000004
【図３】
2004329799.tif 000005
【図４】
2004329799.tif 000006
【図５】
2004329799.tif 000007
(57)【要約】【目的】本発明は靴を履く際に靴ベラ及びその代用品を使用せず、立ち姿勢のまま靴を履くことを目的としたものである。【構成】靴の踵部の外張り材（４）と内張り材（５）の間に、補強材Ａ（１）、補強材Ｂ（２）と補強材Ｃ（３）を取り付けた構造である。【選択図】    図１
2004329797.tif 000002
【特許請求の範囲】
【請求項１】
靴の踵部分の外張り材（４）と内張り材（５）の間に補強材Ａ（１）と補強材Ｂ（２）及び補強材Ｃ（３）を取り付けた靴ベラ不要装置。
【発明の詳細な説明】
【０００１】
【産業上の利用分野】
この発明は、靴を履く際に靴ベラ及び靴ベラに変わるものを一切使用せずに靴を履ける装置に関するものである。
【０００２】
【従来の技術】
従来より、靴を履く際は靴ベラやそれに変わるものを使用して靴を履いていた為にかがみ込む動作が必要であり、また両手が塞がった状態で靴を履くことが出来なかった。
【０００３】
【発明が解決しようとする課題】
従来の靴は、踵部の上端が軟らかく、靴ベラ無しでは踵部上端が折れ曲がってしまい、履いた後に折れ曲がった部分に手を加えて修復しなければならなかった。本発明は靴ベラ等を使用しないで、履いた後の修復もしなくても良い様に踵部に補強材を取り付けることにより解決を図った発明である。
【０００４】
【課題を解決するための手段】
靴の踵部の外張り材（４）と内張り材（５）の間に、硬質材で成形された補教材Ａ（１）、補強材Ｂ（２）と補強材Ｃ（３）を接着にて貼り付けた構造であり、補強材が３つの部分に別れている為に３つの部分から成り立っている幅は可変である。
【０００５】
【作用】
本発明は靴を履く際に、靴ベラ等一切使用せず、立ち姿勢のままで靴に足を差し込み、前方にずらしながら踏み込むことにより靴を履くことが出来る装置である。
【０００６】
【実施例】
以下、本発明の実施例について説明する。
靴の踵部の外張り材（４）と内張り材（５）の間に補強材Ａ（１）．補強材Ｂ
（２）と補強材Ｃ（３）を接着にて取り付けた構造で
【図３】に示すように靴に足を差し込み前方にずらしながら踏み込むことにより履くことが出来る。この時補強材は硬質材で出来ていることにより曲がることはなく、３つに分かれているために履き込む時に、踵の幅に合わせた広がりを保つことが出来る。
【０００７】
【発明の効果】
本発明は靴ベラやそれに変わるものも使用せず、つまり手を一切使わずに立ち姿勢のままで靴を履くことが出来るため、老人等身体の不自由な人や、室内と室外を何度も出入りする人等、また一般の人でも利用範囲は広いと思われる。
【図面の簡単な説明】
【図１】本発明の断面図
【図２】本発明の上面図
【図３】本発明の実施例側面図
【符号の説明】
１．補強材Ａ
２．補強材Ｂ
３．補強材Ｃ
４．外張り材
５．内張り材
【図１】
2004329797.tif 000003
【図２】
2004329797.tif 000004
【図３】
2004329797.tif 000005
(57)【要約】【課題】水泳のとき、耳に入った水を取り除く器具を提供する。【解決手段】細いシリコンホース（２）の口の一方に中空の耳差込口（３）を設け反対の口には玉（４）の入った吸引口（１）を設けたことを特徴とする。【選択図】  図１
2004329800.tif 000002
【特許請求の範囲】
【請求項１】
中空のシリコンホース（２）の口の一方に玉（４）の入った吸引口（１）を設け、反対の口に中空の耳差込口（３）を設けた耳内水吸引器。
【発明の詳細な説明】
【０００１】
【発明の属する技術分野】
この発明は、耳に水が入った時に使用するもので、玉を弁の代わりにして空気が一方向にしか通らないようにした耳内水吸引器に関するものである。
【０００２】
【従来の技術】
従来、耳に水が入った時は耳を下に向け片足とびをして出すぐらいで、特別な器具はなかった。
【０００３】
【発明が解決しようとする課題】
耳の中に管を入れるので安全性を第一に発明されなければならない。
水を吸い出す際に、吸引力の加減を調節出来るようにする。
誤って耳の中に空気や水を吹き込んだりして、鼓膜などを傷つけないようにする。
【０００４】
【課題を解決するための手段】
中空のシリコンホース（２）の口の一方に玉（４）の入った吸引口（１）を設け、反対の口に中空の耳差込口（３）を設ける。
本発明は以上の構成よりなる耳内水吸引器である。
【０００５】
【発明の実施の形態】
以下、本発明の実施例について説明する。
（イ）シリコンホース（２）の一方の口に先の細くなった中空の耳差込口（３）を設け、反対側の口に吸引口（１）を設ける。
（ロ）吸引口（１）の中に玉（４）を設ける。
（ハ）吸引口（１）の内側の吸い込み口付近に突起物を設ける。
本発明は以上のような構造で、これを使用するときは吸引口（１）を口にくわえ、差込口（３）を耳に入れ自分で加減しながら水を吸い出す。
吸う時は、玉（４）が突起物に押さえられ空気を吸い出すことができる。
逆に誤って吹いてしまっても玉（４）が出口を塞ぎ空気は耳差込口（３）には出て行かない。
細いホースを使って自ら吸い出すことによって、吸引力の強弱を微妙に調節することができる。
空気を吹き込んだときは玉（４）がホース側の口をふさぎ、吸い込んだ時にはは反対側の吸い込み口付近に設けた突起物が玉（４）を押さえ空気が流れるようにした。
【０００６】
【発明の効果】
安全に、耳の中に入った水を取ることができる。
【図面の簡単な説明】
【図１】本発明の一部を断面にした説明図である。
【図２】本発明の要部の説明図で、吸った時を表した要部断面図である。
【図３】本発明の要部の説明図で、吹いた時を表した要部断面図である。
【符号の説明】
１、  吸引口
２、  シリコンホース
３、  耳差込口
４、  玉
【図１】
2004329800.tif 000003
【図２】
2004329800.tif 000004
【図３】
2004329800.tif 000005
(57)【要約】【課題】履物（靴、スリッパ、草履、下駄、サンダルなど）を装着したとき、足の指間が閉じたままの状態なので、足の指先に力が入りにくく、サイズがあった履物でも、横ぶれしたり滑ったりして不安定の感があった。【解決手段】履物の底の内面ａに半円盤状の突起物ｂなどの滑り止めを取り付けることにより、足の指間が開き指先に力が入りやすくなり、指の側面  全体で挟み込めるので、足先の横ぶれや滑りが軽減され装着がより安定する。また図１のような鼻緒の付いていない履物は、靴下やストッキングをはいたままでも指間を開くことができ、装着が安定する。【選択図】図１
2004329523.tif 000002
【特許請求の範囲】
【請求項１】
履物の底の内面に滑り止用の突起物を指間の位置に取り付けたことを特徴とする履物。
【請求項２】
履物の底の内面に敷物を配置し、該敷物の上面に滑り止用の突起物を指間の位置に取り付けたことを特徴とする履物。
【請求項３】
上記突起物は、少なくとも親指とその隣接する指間に取り付けたことを特徴とする請求項１又は請求項２記載の履物。
【発明の詳細な説明】
【０００１】
【発明の属する分野】
この発明は履物の底の内面の指間に位置する場所に半円盤状の滑り止め用の突起物を設けた履物に関する。
【０００２】
【従来の技術】
従来の靴、スリッパ、一部のサンダルの鼻緒の付いていない物は図４が示すように指間を揃え閉じたままの状態で装着するものであり、指の間にはなにもない、一方、下駄，草履、一部のサンダルの鼻緒の付いている物も指間の根元だけで挟み、やはり指をそろえ指間が閉じた状態であり指間を広げるものはなにもない。また、下記の特許文献１のようなものがあるが、この場合、指の根元だけで指間を広げるサンダルなので、歩いているうちに足指に痛みが出たりするし装着が安定しない。又特許文献２は特別は靴下または裸足でないと装着できない靴になっているし、ほとんどがリブ付き靴の製造方法の説明である。
【０００３】
【特許文献１】
特開２００３−０７９４０１
【特許文献２】
特開平１１−０３２８０５
【０００４】
【発明が解決しようとする課題】
以上の従来の技術によれば足の指間を閉じたままで装着するので、指先に力が入りにくく、足指が横ぶれしたり滑りやすく装着が不安定であった。そこでこの発明は指間を広げることにより、足の指先に力が入りやすいようにし、その突起物を指の側面で自然に挟み込めるので、足指のぶれ滑りを軽減し装着をより安定させることを課題とするものである。
【０００５】
【課題を解決するための手段】
以上の課題を解決するために、請求項１の発明は、履物の底の内面の指間に当たる場所に、滑り止めを取り付けたことを特徴とする履物である。
請求項２の発明は、履物の底の内面に敷物を配置し、該敷物の上面に滑り止用の突起物を指間の位置に取り付けたことを特徴とする。
請求項３の発明は、請求項１又は請求項２記載の履物において、上記突起物は、少なくとも親指とその隣接する指間に取り付けたことを特徴とする。
【０００６】
【発明の実施の形態】
図１の示す靴の一部破断した斜視図のように、指間の位置する底の内面ａに各々半円盤状の滑り止めｂを設ける。その突起物は指を痛めないよう適度な硬さと弾力性があり、汗の吸収性が高く通気性の良い素材を使うのだが、靴の場合底が柔らかくその条件を備えていればそのまま底の内面ａを盛り上げるようにして作る。指の側面全体で挟み込みやすいよう指元から指先にかけて、徐々に厚みを増すようにし指先までの長さとする。又各々指からはみ出ない程度の高さに設定することにより、靴下やストッキングをはいた状態でも装着できるようにする。図３のような鼻緒ｃの付いた履物も鼻緒ｃの根元から指先にかけて取り付けるようにする、下駄のように底の内面ａが硬い場合は上記の条件を備えた素材の物で突起物ｂを作って取り付けると良い。
【０００７】
【発明の効果】
以上説明したようにこの発明によれば、履物のそこの内面の指間に当たる場所に滑り止め用の突起物を設けることにより、自然に指間が広がりそれを挟みこめるので指先に力が入りやすくなり、装着がより安定する。
【図面の簡単な説明】
【図１】この発明の一実施状態を示す靴の一部破断した平面図である。
【図２】この発明の一実施状態を示す靴の一部破断した側面図である。
【図３】この発明の一実施状態を示す下駄の平面図である。
【図４】従来の靴の一部破断した平面図である。
【符号の説明】
ａ  履物の底の内面
ｂ  突起物（滑り止め）
ｃ  鼻緒
【図１】
2004329523.tif 000003
【図２】
2004329523.tif 000004
【図３】
2004329523.tif 000005
【図４】
2004329523.tif 000006
(57)【要約】【課題】非力で未熟のアマチュアであっても、そこそこに成果を挙げることのできるゴルフクラブ及びゴルフクラブシャフトを提供する。【解決手段】グリップ１、シャフト２、ヘッド３とを備えたゴルフクラブ４において、シャフト２を手元側２１とヘッド側２２とから構成し、手元側２１はスチールシャフトで構成し、ヘッド側２２はカーボンシャフトで構成して、両者の長さは接続部の位置が全長のほぼ１／２になるように選び、インロー接続して接着剤で固着する。【選択図】        図１
2004329588.tif 000002
【特許請求の範囲】
【請求項１】
シャフトの手元側を金属シャフトとし、ヘッド側を複合材シャフトとしたことを特徴とするゴルフクラブ。
【請求項２】
手元側を金属シャフトとし、ヘッド取付け側を複合材シャフトで構成したことを特徴とするゴルフクラブシャフト。
【発明の詳細な説明】
【０００１】
本発明は、未熟者や非力者でも優れた打球を行うことができるゴルフクラブ及びゴルフクラブシャフトに関するものである。
【０００２】
初期のゴルフクラブのシャフトは、ヒッコリー等の木製のシャフトが用いられていたが、製造技術の進歩により、スチールシャフトに代わり、最近は軽量化ができる所謂カーボンシャフトの出現により、ゴルフ人口の９０％がカーボンシャフトを用いたゴルフクラブを用いている。
【０００３】
木製のシャフトを用いたゴルフクラブは、曲げ剛性（可撓性）及び捻り剛性が小さいので方向性が悪く、ゴルフクラブを使いこなすには相当の技術力を要する。また、スチールシャフトを用いたゴルフクラブは、曲げ剛性及び捻り剛性が高いので、方向性は良いが、飛距離が伸びないという欠点があり、非力の者には向かない。また、カーボンシャフトを用いたゴルフクラブは、軽いという長所はあるが、曲げ剛性及び捻り剛性が小さいので、方向性が悪いという欠点がある。従って、これらのゴルフクラブは何れもそれを使いこなすには相当の技術力を要し、プロゴルファー独自のゴルフ理論が生まれ、アマチュアはそのゴルフ理論に惑わされている。
【０００４】
プロゴルファーは、体力を作ると共に、練習努力して、技術力を向上し、方向性の良いシャフトを用いたゴルフクラブを選びプレイしているため、良い成果を挙げることができる。
【０００５】
方向性の良いシャフトを用いたゴルフクラブは、前述のように曲げ剛性と捻り剛性が高く、飛距離を伸ばすには速い速度でバックスイングし、重量のあるヘッドの慣性を利用してシャフトを後方に撓らせ、トップ・オブ・スイング時にその撓りのままスイングすると共に、コックを矯める技術を発揮して、スナップを掛け、インパクト動作に移るので、飛距離と方向性の良い打球を行うことができるのである。
【０００６】
ところが、アマチュアは、体力不足と、練習不足で、バックスイング時に後方に撓らせる度合がプロと比較して不充分であると共に、コックを矯める技術が身に付いていないためスナップが不足し、プロのような飛距離を出すことができないのである。
【０００７】
この問題は、木製シャフトやカーボンシャフトを用いたゴルフクラブを用いれば、バックスイング時およびトップ・オブ・スイング時に撓らせたまま振られることになるが、それらのゴルフクラブは前述したように方向性が悪いので、打数が増加してしまうことになる。
【０００８】
【非特許文献１】
下中邦彦，「世界大百科事典  １１」，平凡社，１９７２年４月２５日，ｐ．４７７
【０００９】
【発明が解決しようとする課題】
そこで本発明は、非力で未熟のアマチュアであっても、そこそこに成果を挙げることのできるゴルフクラブ及びゴルフクラブシャフトを提供することを課題とするものである。
【００１０】
【課題を解決するための手段】
本発明は、上記の課題を解決するためになされたもので、第１の発明は、シャフトの手元側を金属シャフトとし、ヘッド側を複合材シャフトとしたことを特徴とするゴルフクラブである。
【００１１】
第２の発明は、手元側を金属シャフトとし、ヘッド取付け側を複合材シャフトで構成したことを特徴とするゴルフクラブシャフトである。
【００１２】
【実施例】
図１は、本発明の実施例を示すもので、１はグリップ、２はシャフト、３はヘッド、４はそれらを備えたゴルフクラブである。ゴルフクラブ４はドライバーが示されているが、フェアウェイ・ウッド、アイアン、サンド・ウエッジ、パターでも良い。
【００１３】
シャフト２は手元側２１とヘッド側２２から構成され、手元側２１はスチールシャフトで作られ、ヘッド側２２は複合シャフトで作られていて、両者は図２に示すようにインロー接続され、接着剤で固着されている。
【００１４】
複合シャフトはグラフアイトシャフトと呼ばれているものや、カーボンシャフトと呼ばれるものが使用され、それらの曲げ剛性及び捻り剛性は、手元側２１に使用したスチールシャフトより小さい。従って、当該技術分野ではスチールシャフトより「高いトルク」であり、スチールシャフトを撓らせる場合よりも少ない振り力で撓らせられる。
【００１５】
手元側２１とヘッド側２２の長さの比率及びヘッド側２２の材料の曲げ剛性及び捻り剛性は使用者の体力に応じたものが選択される。実施例の場合は、接続部の位置は全長のほぼ１／２の位置に選び、ヘッド側２２の材料としてカーボンシャフトを用いた。ヘッド側２２のシャフトは、シャフト２のヘッド側に撓りを付与するものであり、手元側２１のシャフトは曲げ剛性と捻り剛性をシャフト２に付与して方向性を与えるものであり、どちらかといえばヘッド側２１のシャフトの長さは手元側２１より短くすることが好ましい。
【００１６】
以上のように構成されるので、プロのような体力と技術力がなくとも、バックスイングした時、ヘッド側２２のシャフトが撓みトップ・オブ・スイング時にヘッド３の重量による慣性により逆撓みとなり、プロがコックを矯めて振ったときと同様の動きをヘッドが行い、大きな打撃力をゴルフボールに与える。しかも飛距離が得られると共に手元側２１のシャフトは金属シャフトであるため方向性はシャフト全体を木製としたり、複合シャフトとしたゴルフクラブと比較して優れているため、良い成果を挙げることができる。
【００１７】
図３は異なる実施例のＡ部の構造を示すもので、この場合は手元側２１とヘッド側２２のシャフト接続部にジョイント５を用いて、接続強度を高めたものである。
【００１８】
【発明の効果】
以上、本発明によれば、非力の者でもバックスイング時にヘッド側２１を撓らせることができ、またコックを矯める技術を体得しない未熟者でも、トップ・オブ・スイング時にヘッド側２１を逆撓みにさせスナップを利かせることができるため、ゴルフボールには大きな打撃力を与えることになるので、飛距離が得られる打球を行うことができる。
【図面の簡単な説明】
【図１】本発明の一実施例を示した斜視図。
【図２】図１のＡ部の一部截断拡大断面図。
【図３】本発明の他の実施例のＡ部の一部截断拡大断面図。
【符号の説明】
１    グリップ
２    シャフト
３    ヘッド
４    ゴルフクラブ
５    ジョイント
【図１】
2004329588.tif 000003
【図２】
2004329588.tif 000004
【図３】
2004329588.tif 000005
(57)【要約】【課題】回転ドラム焼成装置を用いて薄皮焼成食品を効率的に製造する方法を提供することを目的とする。【解決手段】回転ドラム焼成装置による薄皮焼成食品の製造法において、焼成ドラム外周面における薄皮状生地が、流動性を失う部位から焼き色が生ずる部位までの間で薄皮状生地表面に空気を吹付ける、薄皮焼成食品の製造方法。【選択図】      図１
2004329074.tif 000002
【特許請求の範囲】
【請求項１】
加熱された焼成ドラムの外周面に、ペースト状生地を薄皮状に付着させて焼成する薄皮焼成食品の製造法において、前記焼成ドラム外周面における薄皮状生地が、流動性を失う部位から焼き色が生ずる部位までの間で薄皮状生地表面に空気を吹付けることを特徴とする薄皮焼成食品の製造方法。
【発明の詳細な説明】
【０００１】
【発明の属する技術分野】
本発明は、春巻の皮、クレープシート等の薄皮焼成食品の製造方法に関する。
【０００２】
【従来の技術】
従来、この種の薄皮焼成食品は、ドラム外周面が内蔵ヒータにより所望の温度に加熱された焼成ドラムを低速回転させ、この焼成ドラムの外周面に対向して焼成ドラムの長軸方向に沿って開口するスリット状ノズルからペースト状生地を焼成ドラムの外周面に薄皮状に付着させて焼成することによって製造されていた。このような従来方法で充分な焼成を行うためには、焼成ドラムの外周面に長時間に亘りペースト状生地を付着させておく必要がある。そのために例えば直径２メートルの焼成ドラムを使用したり、焼成ドラムを極めてゆっくり回転させる等の必要があった。
【０００３】
【発明が解決しようとする課題】
しかしながら、直径の大きい焼成ドラムを用いるために装置が大型化し、広い設置場所が必要となるばかりでなく、製品製造の切り替え時に焼成ドラム面に残留する半製品生地が多くなる欠点があった。また装置を小型化するために、焼成ドラムの直径を小さくしてゆっくり回転させた場合生産性が低下するばかりでなく、ペースト状生地を焼成ドラムの外周面に薄皮状に均一に付着させることができないという欠点があった。
そこで、本発明者等は、前記のような問題点に鑑み、小型の回転ドラム焼成装置によっても品質の安定した薄皮焼成食品を効率よく製造する方法について鋭意研究した結果本発明を完成するに至った。
【０００４】
【課題を解決するための手段】
すなわち、本発明は、加熱された焼成ドラムの外周面に、ペースト状生地を薄皮状に付着させて焼成する薄皮焼成食品の製造法において、前記焼成ドラム外周面における薄皮状生地が、流動性を失う部位から焼き色が生ずる部位までの間で薄皮状生地表面に空気を吹付けることを特徴とする薄皮焼成食品の製造方法である。
【０００５】
【発明の実施の形態】
次に本発明を図面を参照しながら説明するが、本発明は、以下の説明のみに限定されるものではない。
図１は、本発明の薄皮焼成食品を製造するための回転ドラム焼成装置の一例を示した概略的な側面図である。軸着されたヒータを内蔵する焼成ドラム１の外周面の下部に、ホッパ２からパイプ３を介して扇状に広がったスリット状ノズル４を設ける。スリット状ノズル４の吐出口５の幅員は、焼成ドラム１の長軸方向の幅員よりやや狭い幅員とすることが好ましい。
またスリット状ノズル４の吐出口５は、吐出するペースト状生地が焼成ドラム１の回転方向に向けて吐出するように設けることが好ましい。さらに他の態様として、図２に示すようにスリット状ノズル４を略水平に設ける場合は、吐出口５を斜めにカットして吐出口５の下部吐出縁より上部吐出縁を短くした形状とすることによって、吐出口５からのペースト状生地の垂れがなくなるので好ましい。
【０００６】
焼成ドラム１の直径は０．３〜０．７メートル、特に０．４〜０．６メートルの範囲のものが好ましい。焼成ドラム１の周速は、焼成ドラム１の温度および焼成ドラム１の外周面に形成されたペースト状生地の厚さによっても異なるが、通常３〜５ｃｍ／ｓｅｃの範囲が好ましい。
【０００７】
また回転ドラム焼成装置には、焼成ドラム１の外周面に対向し、かつ焼成ドラム１の長軸方向にスリット状に開口した空気吹付け装置６を設ける。この空気吹付け装置６を設ける位置は、焼成ドラム１の外周面に付着した薄皮状生地７が流動性を失う部位から薄皮状生地７に焼き色が生ずる間に設けることが好ましい。すなわち、この設置位置としては、焼成ドラム１の周速、ペースト状生地の水分含量および薄皮状生地の厚さによっも異なるが、一般的にはスリット状ノズル４の吐出部５の上部の近傍から、焼成ドラム１の軸を通る鉛直線と、上部外周面が交わる点Ｐまでの範囲が好ましい。
【０００８】
また空気吹付け装置６から送風する空気は、２０〜６０℃の温度のものが好ましく、風速も０．５〜１５．０ｍ／ｓｅｃの範囲が好ましい。この風速が０．５ｍ／ｓｅｃより弱いと薄皮状生地からの水分の除去が充分に行われず、一方１５．０ｍ／ｓｅｃより強くなると、薄皮状生地の厚みにむらができたり、焼成ドラム１の外周面から剥離するようになる。
【０００９】
また焼成装置の焼成ドラム１には薄皮焼成食品を剥離するためのスクレーパ８が設けられている。焼成ドラム１からスクレーパ８によって剥離された薄皮焼成食品はコンベア９により、所望の形状にカットするための成形工程に搬送し、製品とする。
【００１０】
【実施例】
次に本発明の薄皮焼成食品の製造例について説明する。
ホッパ２のペースト状生地を圧送ポンプ（図示せず）によってパイプ３を介してスリット状ノズル４から回転している焼成ドラム（直径０．５ｍ，１．５ｒ．ｐ．ｍ）の外周面に薄皮状に付着させる。焼成ドラム１は、内蔵しているヒータ（図示せず）によって加熱されているため、焼成ドラム１の外周面に付着した薄皮状生地７は水分が蒸散して除去されることによって流動性を失い、焼成ドラム１の外周面に密着した状態で焼成ドラム１と共に回動する。
【００１１】
流動性を失った薄皮状生地７は、次に空気吹付け装置６から空気（６０℃）を５．０ｍ／ｓｅｃの風速で吹付け、薄皮状生地７から水分を蒸散させる。水分が少なくなった薄皮状生地７は、さらに焼成ドラム１と共に回動して加熱された後焼成ドラム１に設けられたスクレーパ８によって焼成ドラム１の外周面から剥離される。
剥離された薄皮状生地７は、ベルトコンベア９によって裁断（成形）工程に搬送され、ここで所望の形状に整えられて薄皮焼成食品が得られる。
【００１２】
【発明の効果】
本発明方法によれば、春巻の皮、揚げ餃子の皮、洋菓子用のクレープ、おかき、ポテトチップ等の薄皮焼成食品を効率よく製造することができる。
【図面の簡単な説明】
【図１】本発明方法に使用する回転ドラム焼成装置の概略的な側面図。
【図２】回転ドラム焼成装置のスリット状ノズル部の部分拡大側面図。
【符号の説明】
１：焼成ドラム
４：スリット状ノズル
６：空気吹付け装置
【図１】
2004329074.tif 000003
【図２】
2004329074.tif 000004